(57)【要約】  実施形態に係る基地局は、移動通信網を構成する基地局である。当該基地局は、パラメータを所定値に比べて前記移動通信網から無線ＬＡＮへの切り替えが行われ易い値に設定する第１制御、及び、自基地局配下の無線端末のうち所定の無線端末をハンドオーバさせる第２制御のうちの少なくとも一方の負荷分散制御を行うコントローラと、自基地局が前記負荷分散制御を行っているか否かを示す状態情報を近隣基地局に送信するトランスミッタと、を備える。前記パラメータは、自基地局配下の無線端末が前記移動通信網と前記無線ＬＡＮとの間で待ち受け先又は接続先を切り替えるか否かを判定するために用いられるものである。
2016072465.tif 000002
【特許請求の範囲】
【請求項１】
移動通信網を構成する基地局であって、
パラメータを所定値に比べて前記移動通信網から無線ＬＡＮへの切り替えが行われ易い値に設定する第１制御、及び、自基地局配下の無線端末のうち所定の無線端末をハンドオーバさせる第２制御のうちの少なくとも一方の負荷分散制御を行うコントローラと、
自基地局が前記負荷分散制御を行っているか否かを示す状態情報を近隣基地局に送信するトランスミッタと、を備え、
前記パラメータは、自基地局配下の無線端末が前記移動通信網と前記無線ＬＡＮとの間で待ち受け先又は接続先を切り替えるか否かを判定するために用いられるものであることを特徴とする基地局。
【請求項２】
前記トランスミッタは、自基地局の負荷情報と共に前記状態情報を前記近隣基地局に送信することを特徴とする請求項１に記載の基地局。
【請求項３】
前記状態情報は、前記負荷分散制御の度合いを示す情報を含むことを特徴とする請求項１に記載の基地局。
【請求項４】
前記状態情報は、前記第１制御を行っていることを示す情報及び／又は前記第２制御を行っていることを示す情報であることを特徴とする請求項１に記載の基地局。
【請求項５】
前記負荷分散制御が前記第１制御である場合、前記状態情報は、前記パラメータを示す情報を含むことを特徴とする請求項１に記載の基地局。
【請求項６】
前記負荷分散制御が前記第１制御である場合、前記状態情報は、個別信号によって前記パラメータが設定された無線端末の数を示す情報を含むことを特徴とする請求項１に記載の基地局。
【請求項７】
前記負荷分散制御が前記第１制御である場合、前記状態情報は、前記切り換えを行った無線端末の数を示す情報を含むことを特徴とする請求項１に記載の基地局。
【請求項８】
前記負荷分散制御が前記第１制御である場合、前記状態情報は、前記待ち受け先又は前記接続先の候補となる無線ＬＡＮアクセスポイントを示す識別子を含むことを特徴とする請求項１に記載の基地局。
【請求項９】
移動通信網を構成する基地局であって、
パラメータを所定値に比べて前記移動通信網から無線ＬＡＮへの切り替えが行われ易い値に設定する第１制御、及び、自基地局配下の無線端末のうち所定の無線端末をハンドオーバさせる第２制御の少なくとも一方の負荷分散制御を行うコントローラと、
他の基地局からハンドオーバ要求を受信するレシーバと、
前記ハンドオーバ要求を拒否する場合に、前記ハンドオーバ要求に対する応答であって、前記負荷分散制御を行っていることを示す拒否理由を含む否定応答を送信するトランスミッタと、を備え、
前記パラメータは、自基地局配下の無線端末が前記移動通信網と前記無線ＬＡＮとの間で待ち受け先又は接続先を切り替えるか否かを判定するために用いられるものであることを特徴とする基地局。
【請求項１０】
前記トランスミッタは、前記ハンドオーバ要求の理由が負荷分散である場合に、前記負荷分散制御を行っていることを示す拒否理由を含む否定応答を送信することを特徴とする請求項９に記載の基地局。
【請求項１１】
移動通信網を構成する基地局を制御するためのプロセッサであって、
パラメータを所定値に比べて前記移動通信網から無線ＬＡＮへの切り替えが行われ易い値に設定する第１制御、及び、前記基地局配下の無線端末のうち所定の無線端末をハンドオーバさせる第２制御のうちの少なくとも一方の負荷分散制御を行う処理と、
前記基地局が前記負荷分散制御を行っているか否かを示す状態情報を近隣基地局に送信する処理と、を実行し、
前記パラメータは、前記基地局配下の無線端末が前記移動通信網と前記無線ＬＡＮとの間で待ち受け先又は接続先を切り替えるか否かを判定するために用いられるものであることを特徴とするプロセッサ。
【請求項１２】
移動通信網を構成する基地局を制御するためのプロセッサであって、
パラメータを所定値に比べて前記移動通信網から無線ＬＡＮへの切り替えが行われ易い値に設定する第１制御、及び、前記基地局配下の無線端末のうち所定の無線端末をハンドオーバさせる第２制御のうちの少なくとも一方の負荷分散制御を行う処理と、
他の基地局からハンドオーバ要求を受信する処理と、
前記ハンドオーバ要求を拒否する場合に、前記ハンドオーバ要求に対する応答であって、前記負荷分散制御を行っていることを示す拒否理由を含む否定応答を送信する処理と、を実行し、
前記パラメータは、前記基地局配下の無線端末が前記移動通信網と前記無線ＬＡＮとの間で待ち受け先又は接続先を切り替えるか否かを判定するために用いられるものであることを特徴とするプロセッサ。
【発明の詳細な説明】
【技術分野】
【０００１】
本出願は、移動通信網のカバレッジエリアと無線ＬＡＮのカバレッジエリアとの間で待ち受け先又は接続先を切り替える切替処理を行うシステムで用いられる基地局及びプロセッサに関する。
【背景技術】
【０００２】
従来、ＬＴＥ（Ｌｏｎｇ  Ｔｅｒｍ  Ｅｖｏｌｕｔｉｏｎ）に代表される移動通信網のカバレッジエリアと無線ＬＡＮのカバレッジエリアの少なくとも一部が重複している場合に、無線端末が移動通信網と無線ＬＡＮとの間で待ち受け先又は接続先を切り替える切替処理（ネットワークセレクション及びトラフィックステアリング）が提案されている（例えば、非特許文献１参照）。無線端末は、移動通信網における基地局から通知された判定パラメータに基づいて切替処理を判定する。【０００３】
ところで、基地局は、自局の負荷が高い場合、無線ＬＡＮへの切替処理が行われ易い値に判定パラメータを設定できる。これによって、基地局は、自局の負荷を低減できる。また、基地局は、無線ＬＡＮへの切替処理が行われ易い値へと判定パラメータを設定するだけでなく、自セル内の所定の無線端末をハンドオーバさせる制御を行うことによっても、自局の負荷を低減できる。
【先行技術文献】
【非特許文献】
【０００４】
【非特許文献１】３ＧＰＰ技術仕様書「ＴＳ  ３６．３０４  V１２．２．０」  ２０１４年９月２３日
【発明の概要】
【０００５】
一の実施形態に係る基地局は、移動通信網を構成する基地局である。当該基地局は、パラメータを所定値に比べて前記移動通信網から無線ＬＡＮへの切り替えが行われ易い値に設定する第１制御、及び、自基地局配下の無線端末のうち所定の無線端末をハンドオーバさせる第２制御のうちの少なくとも一方の負荷分散制御を行うコントローラと、自基地局が前記負荷分散制御を行っているか否かを示す状態情報を近隣基地局に送信するトランスミッタと、を備える。前記パラメータは、自基地局配下の無線端末が前記移動通信網と前記無線ＬＡＮとの間で待ち受け先又は接続先を切り替えるか否かを判定するために用いられるものである。
【０００６】
一の実施形態に係る基地局は、移動通信網を構成する基地局である。当該基地局は、パラメータを所定値に比べて前記移動通信網から無線ＬＡＮへの切り替えが行われ易い値に設定する第１制御、及び、自基地局配下の無線端末のうち所定の無線端末をハンドオーバさせる第２制御の少なくとも一方の負荷分散制御を行うコントローラと、他の基地局からハンドオーバ要求を受信するレシーバと、前記ハンドオーバ要求を拒否する場合に、前記ハンドオーバ要求に対する応答であって、前記負荷分散制御を行っていることを示す拒否理由を含む否定応答を送信するトランスミッタと、を備える。前記パラメータは、自基地局配下の無線端末が前記移動通信網と前記無線ＬＡＮとの間で待ち受け先又は接続先を切り替えるか否かを判定するために用いられるものである。
【０００７】
一の実施形態に係るプロセッサは、移動通信網を構成する基地局を制御するためのプロセッサである。前記プロセッサは、パラメータを所定値に比べて前記移動通信網から無線ＬＡＮへの切り替えが行われ易い値に設定する第１制御、及び、前記基地局配下の無線端末のうち所定の無線端末をハンドオーバさせる第２制御のうちの少なくとも一方の負荷分散制御を行う処理と、前記基地局が前記負荷分散制御を行っているか否かを示す状態情報を近隣基地局に送信する処理と、を実行する。前記パラメータは、前記基地局配下の無線端末が前記移動通信網と前記無線ＬＡＮとの間で待ち受け先又は接続先を切り替えるか否かを判定するために用いられる。
【０００８】
一の実施形態に係るプロセッサは、移動通信網を構成する基地局を制御するためのプロセッサである。前記プロセッサは、パラメータを所定値に比べて前記移動通信網から無線ＬＡＮへの切り替えが行われ易い値に設定する第１制御、及び、前記基地局配下の無線端末のうち所定の無線端末をハンドオーバさせる第２制御のうちの少なくとも一方の負荷分散制御を行う処理と、他の基地局からハンドオーバ要求を受信する処理と、前記ハンドオーバ要求を拒否する場合に、前記ハンドオーバ要求に対する応答であって、前記負荷分散制御を行っていることを示す拒否理由を含む否定応答を送信する処理と、を実行する。前記パラメータは、前記基地局配下の無線端末が前記移動通信網と前記無線ＬＡＮとの間で待ち受け先又は接続先を切り替えるか否かを判定するために用いられるものである。
【図面の簡単な説明】
【０００９】
【図１】図１は、各実施形態に係る通信システム１を示す図である。
【図２】図２は、各実施形態に係る無線端末１０を示すブロック図である。
【図３】図３は、各実施形態に係る無線基地局１００を示すブロック図である。
【図４】図４は、各実施形態に係るアクセスポイント２００を示すブロック図である。
【図５】図５は、動作環境の一例を説明するための図である。
【図６】図６は、動作環境の一例を説明するための図である。
【図７】図７は、第１実施形態に係る動作の一例を説明するための図である。
【図８】図８は、第２実施形態の変更例に係る動作の一例を説明するための図である。
【発明を実施するための形態】
【００１０】
［実施形態の概要］
無線ＬＡＮへの切替処理が行われ易い値に判定パラメータを設定している基地局が、他の基地局からハンドオーバ要求を受信したケースを想定する。
【００１１】
このケースにおいて、基地局は、負荷の増加を避けるために、ハンドオーバ要求を拒否したとしても、基地局の事情が分からない他の基地局からハンドオーバ要求を繰り返し受信する虞がある。
【００１２】
また、基地局が他の基地局からのハンドオーバ要求を承諾した場合、基地局へハンドオーバを行った無線端末は、基地局の判定パラメータに基づいて、無線ＬＡＮへの切替処理を直ちに行う可能性が高い。切替処理を行った無線端末が接続するアクセスポイントが、基地局のカバレッジエリア及び他の基地局のカバレッジエリアの重複部分に存在する場合、無線端末は、ハンドオーバを実行しなくても、他の基地局から当該アクセスポイントへ接続するための切替処理を行うことが可能であったため、結果として、無駄なハンドオーバ要求の送信が行われている虞がある。
【００１３】
なお、無線ＬＡＮへの切替処理が行われ易い値に判定パラメータが設定されているケースに限らず、自セル内の所定の無線端末をハンドオーバさせる制御を行っているケースにおいても、このような無駄なハンドオーバ要求の送信が行われる虞がある。
【００１４】
そこで、本出願は、無駄なハンドオーバ要求の送信を低減可能とすることを目的とする。
【００１５】
第１実施形態（及びその他実施形態）に係る基地局は、移動通信網を構成する基地局である。当該基地局は、パラメータを所定値に比べて前記移動通信網から無線ＬＡＮへの切り替えが行われ易い値に設定する第１制御、及び、自基地局配下の無線端末のうち所定の無線端末をハンドオーバさせる第２制御のうちの少なくとも一方の負荷分散制御を行うコントローラと、自基地局が前記負荷分散制御を行っているか否かを示す状態情報を近隣基地局に送信するトランスミッタと、を備える。前記パラメータは、自基地局配下の無線端末が前記移動通信網と前記無線ＬＡＮとの間で待ち受け先又は接続先を切り替えるか否かを判定するために用いられるものである。
【００１６】
第１実施形態において、前記トランスミッタは、自基地局の負荷情報と共に前記状態情報を前記近隣基地局に送信する。
【００１７】
第１実施形態において、前記状態情報は、前記負荷分散制御の度合いを示す情報を含む。
【００１８】
第１実施形態において、前記状態情報は、前記第１制御を行っていることを示す情報及び／又は前記第２制御を行っていることを示す情報である。
【００１９】
第１実施形態において、前記負荷分散制御が前記第１制御である場合、前記状態情報は、前記パラメータを示す情報を含む。
【００２０】
第１実施形態において、前記負荷分散制御が前記第１制御である場合、前記状態情報は、個別信号によって前記パラメータが設定された無線端末の数を示す情報を含む。
【００２１】
第１実施形態において、前記負荷分散制御が前記第１制御である場合、前記状態情報は、前記切り換えを行った無線端末の数を示す情報を含む。
【００２２】
第１実施形態において、前記負荷分散制御が前記第１制御である場合、前記状態情報は、前記待ち受け先又は前記接続先の候補となる無線ＬＡＮアクセスポイントを示す識別子を含む。
【００２３】
第２実施形態（及びその他実施形態）に係る基地局は、移動通信網を構成する基地局である。当該基地局は、パラメータを所定値に比べて前記移動通信網から無線ＬＡＮへの切り替えが行われ易い値に設定する第１制御、及び、自基地局配下の無線端末のうち所定の無線端末をハンドオーバさせる第２制御の少なくとも一方の負荷分散制御を行うコントローラと、他の基地局からハンドオーバ要求を受信するレシーバと、前記ハンドオーバ要求を拒否する場合に、前記ハンドオーバ要求に対する応答であって、前記負荷分散制御を行っていることを示す拒否理由を含む否定応答を送信するトランスミッタと、を備える。前記パラメータは、自基地局配下の無線端末が前記移動通信網と前記無線ＬＡＮとの間で待ち受け先又は接続先を切り替えるか否かを判定するために用いられるものである。
【００２４】
第２実施形態において、前記トランスミッタは、前記ハンドオーバ要求の理由が負荷分散である場合に、前記負荷分散制御を行っていることを示す拒否理由を含む否定応答を送信する。
【００２５】
第１実施形態（及びその他実施形態）に係るプロセッサは、移動通信網を構成する基地局を制御するためのプロセッサである。前記プロセッサは、パラメータを所定値に比べて前記移動通信網から無線ＬＡＮへの切り替えが行われ易い値に設定する第１制御、及び、前記基地局配下の無線端末のうち所定の無線端末をハンドオーバさせる第２制御のうちの少なくとも一方の負荷分散制御を行う処理と、前記基地局が前記負荷分散制御を行っているか否かを示す状態情報を近隣基地局に送信する処理と、を実行する。前記パラメータは、前記基地局配下の無線端末が前記移動通信網と前記無線ＬＡＮとの間で待ち受け先又は接続先を切り替えるか否かを判定するために用いられる。
【００２６】
第２実施形態（及びその他実施形態）に係るプロセッサは、移動通信網を構成する基地局を制御するためのプロセッサである。前記プロセッサは、パラメータを所定値に比べて前記移動通信網から無線ＬＡＮへの切り替えが行われ易い値に設定する第１制御、及び、前記基地局配下の無線端末のうち所定の無線端末をハンドオーバさせる第２制御のうちの少なくとも一方の負荷分散制御を行う処理と、他の基地局からハンドオーバ要求を受信する処理と、前記ハンドオーバ要求を拒否する場合に、前記ハンドオーバ要求に対する応答であって、前記負荷分散制御を行っていることを示す拒否理由を含む否定応答を送信する処理と、を実行する。前記パラメータは、前記基地局配下の無線端末が前記移動通信網と前記無線ＬＡＮとの間で待ち受け先又は接続先を切り替えるか否かを判定するために用いられるものである。
【００２７】
［第１実施形態］
（通信システム）
以下において、第１実施形態に係る通信システムについて説明する。図１は、第１実施形態に係る通信システム１を示す図である。
【００２８】
図１に示すように、通信システム１は、無線基地局１００と、アクセスポイント２００とを有する。また、通信システム１は、無線基地局１００又はアクセスポイント２００と接続可能な無線端末１０を備える。
【００２９】
無線端末１０は、携帯電話又はタブレットなどの端末である。無線端末１０は、無線基地局１００と無線通信を行う機能に加えて、アクセスポイント２００と無線通信を行う機能を有する。
【００３０】
無線基地局１００は、第１カバレッジエリア１００Ａを有しており、第１カバレッジエリア１００Ａにおいて、ＬＴＥ（Ｌｏｎｇ  Ｔｅｒｍ  Ｅｖｏｌｕｔｉｏｎ）に代表される移動通信サービスを提供する。無線基地局１００は、１つ又は複数のセルを管理しており、第１カバレッジエリア１００Ａは、１つ又は複数のセルによって構成される。無線基地局１００は、移動通信網のエンティティである。なお、セルとは、地理的なエリアを示す用語と考えてもよく、無線端末１０と無線通信を行う機能と考えてもよい。
【００３１】
アクセスポイント２００は、第２カバレッジエリア２００Ａを有しており、第２カバレッジエリア２００Ａにおいて、無線ＬＡＮサービスを提供する。アクセスポイント２００は、無線ＬＡＮのエンティティである。第２カバレッジエリア２００Ａの少なくとも一部は、第１カバレッジエリア１００Ａと重複する。第２カバレッジエリア２００Ａの全部が第１カバレッジエリア１００Ａと重複していてもよい。一般的には、第２カバレッジエリア２００Ａは、第１カバレッジエリア１００Ａよりも小さい。
【００３２】
（適用シーン）
第１実施形態において、無線端末が移動通信網と無線ＬＡＮとの間で待ち受け先又は接続先を切り替える切替処理（例えば、ネットワークセレクション及びトラフィックステアリング）を行う方法について説明する。ＲＲＣコネクティッド状態又はＲＲＣアイドル状態の無線端末１０は、移動通信網（セルラ通信ネットワーク）及び無線ＬＡＮ（ＷＬＡＮ通信ネットワーク）のうちデータ（パケット）を送受信するネットワークを選択するために切り替える処理を行う。具体的には、移動通信網側の第１情報が第１条件を満たしており、かつ、無線ＬＡＮ側の第２情報が第２条件を満たしている状態が所定期間に亘って継続する場合に、切替処理（例えば、ネットワークセレクション及びトラフィックステアリング）が実行される。
【００３３】
第１実施形態において、切替処理は、移動通信網から無線ＬＡＮに対して待ち受け先又は接続先を切り替える処理、及び、無線ＬＡＮから移動通信網に対して待ち受け先又は接続先を切り替える処理の双方を含む。
【００３４】
ここで、移動通信網側の第１情報は、例えば、受信信号の信号レベル（ＲＳＲＰ；Ｒｅｆｅｒｅｎｃｅ  Ｓｉｇｎａｌ  Ｒｅｃｅｉｖｅｄ  Ｐｏｗｅｒ）の測定結果（ＲＳＲＰｍｅａｓ）及び受信信号の信号品質（ＲＳＲＱ；Ｒｅｆｅｒｅｎｃｅ  Ｓｉｇｎａｌ  Ｒｅｃｅｉｖｅｄ  Ｑｕａｌｉｔｙ）の測定結果（ＲＳＲＱｍｅａｓ）である。
【００３５】
無線ＬＡＮ側の第２情報は、例えば、無線ＬＡＮのチャネル利用値（ＣｈａｎｎｅｌＵｔｉｌｉｚａｔｉｏｎＷＬＡＮ）、無線ＬＡＮの下りリンクのバックホール値（ＢａｃｋｈａｕｌＲａｔｅＤｌＷＬＡＮ）、無線ＬＡＮの上りリンクのバックホール値（ＢａｃｋｈａｕｌＲａｔｅＵｌＷＬＡＮ）、受信信号の信号レベル（ＲＳＳＩ；Ｒｅｃｅｉｖｅｄ  Ｓｉｇｎａｌ  Ｓｔｒｅｎｇｔｈ  Ｉｎｄｉｃａｔｏｒ）である。
【００３６】
（移動通信網から無線ＬＡＮに対する切替処理）
移動通信網から無線ＬＡＮに対して待ち受け先又は接続先を切り替える第１条件は、例えば、以下の条件（１ａ）又は（１ｂ）のいずれかが満たされることである。但し、第１条件は、以下の条件（１ａ）〜（１ｂ）の全てが満たされることであってもよい。
【００３７】
（１ａ）ＲＳＲＰｍｅａｓ＜ＴｈｒｅｓｈＳｅｒｖｉｎｇＯｆｆｌｏａｄＷＬＡＮ，ＬｏｗＰ
（１ｂ）ＲＳＲＱｍｅａｓ＜ＴｈｒｅｓｈＳｅｒｖｉｎｇＯｆｆｌｏａｄＷＬＡＮ，ＬｏｗＱ
【００３８】
なお、“ＴｈｒｅｓｈＳｅｒｖｉｎｇＯｆｆｌｏａｄＷＬＡＮ，ＬｏｗＰ”及び“ＴｈｒｅｓｈＳｅｒｖｉｎｇＯｆｆｌｏａｄＷＬＡＮ，ＬｏｗＱ”は、無線基地局１００から提供される閾値又は予め定められた閾値である。
【００３９】
移動通信網から無線ＬＡＮに対して待ち受け先又は接続先を切り替える第２条件は、例えば、以下の条件（１ｃ）〜（１ｆ）の全てが満たされることである。但し、第２条件は、以下の条件（１ｃ）〜（１ｆ）のいずれかが満たされることであってもよい。
【００４０】
（１ｃ）ＣｈａｎｎｅｌＵｔｉｌｉｚａｔｉｏｎＷＬＡＮ＜ＴｈｒｅｓｈＣｈＵｔｉｌＷＬＡＮ，Ｌｏｗ
（１ｄ）ＢａｃｋｈａｕｌＲａｔｅＤｌＷＬＡＮ＞ＴｈｒｅｓｈＢａｃｋｈＲａｔｅＤＬＷＬＡＮ，Ｈｉｇｈ
（１ｅ）ＢａｃｋｈａｕｌＲａｔｅＵｌＷＬＡＮ＞ＴｈｒｅｓｈＢａｃｋｈＲａｔｅＵＬＷＬＡＮ，Ｈｉｇｈ
（１ｆ）ＲＳＳＩ＞ＴｈｒｅｓｈＢＥＡＣＯＮSＲＳＳＩ，Ｈｉｇｈ
【００４１】
なお、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”及び“ＴｈｒｅｓｈＢＥＡＣＯＮSＲＳＳＩ，Ｈｉｇｈ”は、基地局１００から提供される閾値又は予め定められた閾値である。
【００４２】
（無線ＬＡＮから移動通信網に対する切替処理）
無線ＬＡＮから移動通信網に対して待ち受け先又は接続先を切り替える第１条件は、例えば、以下の条件（２ａ）及び（２ｂ）が満たされることである。但し、第１条件は、以下の条件（２ａ）又は（２ｂ）のいずれかが満たされることであってもよい。
【００４３】
（２ａ）ＲＳＲＰｍｅａｓ＞ＴｈｒｅｓｈＳｅｒｖｉｎｇＯｆｆｌｏａｄＷＬＡＮ，ＨｉｇｈＰ
（２ｂ）ＲＳＲＱｍｅａｓ＞ＴｈｒｅｓｈＳｅｒｖｉｎｇＯｆｆｌｏａｄＷＬＡＮ，ＨｉｇｈＱ
【００４４】
なお、“ＴｈｒｅｓｈＳｅｒｖｉｎｇＯｆｆｌｏａｄＷＬＡＮ，ＨｉｇｈＰ”及び“ＴｈｒｅｓｈＳｅｒｖｉｎｇＯｆｆｌｏａｄＷＬＡＮ，ＨｉｇｈＱ”は、基地局１００から提供される閾値又は予め定められた閾値である。
【００４５】
無線ＬＡＮから移動通信網に対して待ち受け先又は接続先を切り替える第２条件は、例えば、以下の条件（２ｃ）〜（２ｆ）のいずれかが満たされることである。但し、第２条件は、以下の条件（２ｃ）〜（２ｆ）の全てが満たされることであってもよい。
【００４６】
（２ｃ）ＣｈａｎｎｅｌＵｔｉｌｉｚａｔｉｏｎＷＬＡＮ＞ＴｈｒｅｓｈＣｈＵｔｉｌＷＬＡＮ，Ｈｉｇｈ
（２ｄ）ＢａｃｋｈａｕｌＲａｔｅＤｌＷＬＡＮ＜ＴｈｒｅｓｈＢａｃｋｈＲａｔｅＤＬＷＬＡＮ，Ｌｏｗ
（２ｅ）ＢａｃｋｈａｕｌＲａｔｅＵｌＷＬＡＮ＜ＴｈｒｅｓｈＢａｃｋｈＲａｔｅＵＬＷＬＡＮ，Ｌｏｗ
（２ｆ）ＲＳＳＩ＜ＴｈｒｅｓｈＢＥＡＣＯＮSＲＳＳＩ，Ｌｏｗ
【００４７】
なお、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮSＲＳＳＩ，Ｌｏｗ”は、基地局１００から提供される閾値又は予め定められた閾値である。
【００４８】
なお、上述した閾値が提供されていない場合には、無線端末１０は、閾値が提供されていない情報の取得（すなわち、受信又は測定）を省略してもよい。
【００４９】
第１実施形態において、上述した各種閾値は、移動通信網と無線ＬＡＮとの間で待ち受け先又は接続先を切り替える切替処理を行うか否かを判定するための判定パラメータ（例えば、ＲＡＮ  ａｓｓｉｓｔａｎｃｅ  ｐａｒａｍｅｔｅｒ）の一例である。すなわち、判定パラメータは、“ＴｈｒｅｓｈＳｅｒｖｉｎｇＯｆｆｌｏａｄＷＬＡＮ，ＬｏｗＰ”、“ＴｈｒｅｓｈＳｅｒｖｉｎｇＯｆｆｌｏａｄＷＬＡＮ，ＬｏｗＱ”、“ＴｈｒｅｓｈＣｈＵｔｉｌＷＬＡＮ，Ｌｏｗ”、“ＴｈｒｅｓｈＢａｃｋｈＲａｔｅＤＬＷＬＡＮ，Ｈｉｇｈ”、“ＴｈｒｅｓｈＢａｃｋｈＲａｔｅＵＬＷＬＡＮ，Ｈｉｇｈ”、“ＴｈｒｅｓｈＢＥＡＣＯＮSＲＳＳＩ，Ｈｉｇｈ”、“ＴｈｒｅｓｈＳｅｒｖｉｎｇＯｆｆｌｏａｄＷＬＡＮ，ＨｉｇｈＰ”、“ＴｈｒｅｓｈＳｅｒｖｉｎｇＯｆｆｌｏａｄＷＬＡＮ，ＨｉｇｈＱ”、“ＴｈｒｅｓｈＣｈＵｔｉｌＷＬＡＮ，Ｈｉｇｈ”、“ＴｈｒｅｓｈＢａｃｋｈＲａｔｅＤＬＷＬＡＮ，Ｌｏｗ”、“ＴｈｒｅｓｈＢａｃｋｈＲａｔｅＵＬＷＬＡＮ，Ｌｏｗ”及び“ＴｈｒｅｓｈＢＥＡＣＯＮＳＲＳＳＩ，Ｌｏｗ”の中から選択された１つ以上の値を含む。
【００５０】
さらに、判定パラメータは、無線端末が第１条件又は第２条件を満たしている状態を継続すべき所定期間（ＴｓｔｅｅｒｉｎｇＷＬＡＮ）を含んでもよい。或いは、判定パラメータは、無線端末が移動通信網から無線ＬＡＮに対して待ち受け先又は接続先を切り替えるオフロード処理を行った場合に、後述する無線端末１０が保持すべき所定期間（Ｔ３５０タイマ値）を含んでもよい。
【００５１】
判定パラメータとしては、無線基地局１００から無線端末１０に対して個別に通知される個別パラメータ及び無線基地局１００から無線端末１０に対して報知される報知パラメータが存在する。個別パラメータは、例えば、無線基地局１００から無線端末１０に送信されるＲＲＣメッセージ（例えば、ＲＲＣ  Ｃｏｎｎｅｃｔｉｏｎ  Ｒｅｃｏｎｆｉｇｕｒａｔｉｏｎ）に含まれる。報知パラメータは、例えば、無線基地局１００から報知されるＳＩＢ（例えば、ＷＬＡＮ−ＯｆｆｌｏａｄＣｏｎｆｉｇ−ｒ１２）に含まれる。無線端末１０は、報知パラメータに加えて個別パラメータを受信した場合に、報知パラメータよりも個別パラメータを優先して適用することに留意すべきである。
【００５２】
（無線端末）
以下において、第１実施形態に係る無線端末について説明する。図２は、第１実施形態に係る無線端末１０を示すブロック図である。
【００５３】
図２に示すように、無線端末１０は、ＬＴＥ無線通信部（トランスミッタ／レシーバ）１１と、ＷＬＡＮ無線通信部（トランスミッタ／レシーバ）１２と、制御部（コントローラ）１３とを有する。
【００５４】
ＬＴＥ無線通信部１１は、無線基地局１００と無線通信を行う機能を有し、例えば、無線送受信機によって構成される。例えば、ＬＴＥ無線通信部１１は、無線基地局１００から参照信号を定期的に受信する。ＬＴＥ無線通信部１１は、参照信号の信号レベル（ＲＳＲＰ）及び参照信号の信号品質（ＲＳＲＱ）を定期的に測定する。ＬＴＥ無線通信部１１は、判定パラメータとして個別パラメータ及び報知パラメータを無線基地局１００から受信する。
【００５５】
ＷＬＡＮ無線通信部１２は、アクセスポイント２００と無線通信を行う機能を有し、例えば、無線送受信機によって構成される。例えば、ＷＬＡＮ無線通信部１２は、アクセスポイント２００からビーコン又はプローブ応答を受信する。ビーコン又はプローブ応答は、ＢＢＳ  Ｌｏａｄ情報要素を含み、無線ＬＡＮのチャネル利用値（ＣｈａｎｎｅｌＵｔｉｌｉｚａｔｉｏｎＷＬＡＮ）は、ＢＢＳ  Ｌｏａｄ情報要素から取得することができる。
【００５６】
ＷＬＡＮ無線通信部１２は、アクセスポイント２００に対する要求（ＧＡＳ（Ｇｅｎｅｒｉｃ  Ａｄｖｅｒｔｉｓｅｍｅｎｔ  Ｓｅｒｖｉｃｅ）  Ｒｅｑｕｅｓｔ）に応じてアクセスポイント２００から返信される応答（ＧＡＳ  Ｒｅｓｐｏｎｓｅ）を受信する。応答（ＧＡＳ  Ｒｅｓｐｏｎｓｅ）は、無線ＬＡＮの下りリンクのバックホール値（ＢａｃｋｈａｕｌＲａｔｅＤｌＷＬＡＮ）及び無線ＬＡＮの上りリンクのバックホール値（ＢａｃｋｈａｕｌＲａｔｅＵｌＷＬＡＮ）を含む。このような問合せ手順は、ＷＦＡ（Ｗｉ−Ｆｉ  Ａｌｌｉａｎｃｅ）のＨｏｔｓｐｏｔ２．０で規定されるＡＮＱＰ（Ａｃｃｅｓｓ  Ｎｅｔｗｏｒｋ  Ｑｕｅｒｙ  Ｐｒｏｔｏｃｏｌ）に従って行われる。
【００５７】
ＷＬＡＮ無線通信部１２は、アクセスポイント２００から信号を受信する。ＷＬＡＮ無線通信部１２は、受信信号の信号レベル（ＲＳＳＩ）を測定する。受信信号の信号レベル（ＲＳＳＩ）は、ビーコン又はプローブ応答の信号強度である。
【００５８】
制御部１３は、ＣＰＵ（プロセッサ）及びメモリ等によって構成されており、無線端末１０を制御する。具体的には、制御部１３は、ＬＴＥ無線通信部１１及びＷＬＡＮ無線通信部１２を制御する。また、制御部１３は、移動通信網側の第１情報が第１条件を満たしており、かつ、無線ＬＡＮ側の第２情報が第２条件を満たしている状態が所定期間に亘って継続する場合に、移動通信網と無線ＬＡＮとの間で待ち受け先又は接続先を切り替える切替処理を実行する。
【００５９】
制御部１３は、移動通信網から無線ＬＡＮに対して待ち受け先又は接続先を切り替えるオフロード処理を行った後に、無線ＬＡＮから移動通信網に対して待ち受け先又は接続先を切り替えるオンロード処理（又はリオフロード処理）を行った場合に、個別パラメータを破棄する。
【００６０】
詳細には、制御部１３は、原則として、オフロード処理に伴ってアイドル状態へ遷移が行われる際に無線端末１０が起動する所定タイマ（上述した（Ｔ３５０タイマ）が起動されている期間（Ｔ３５０タイマ値）において、個別パラメータを保持するように構成されている。言い換えると、制御部１３は、所定タイマの満了又は所定タイマの停止によって、個別パラメータを破棄するように構成されている。
【００６１】
（無線基地局）
以下において、第１実施形態に係る無線基地局について説明する。図３は、第１実施形態に係る無線基地局１００を示すブロック図である。
【００６２】
図３に示すように、無線基地局１００は、ＬＴＥ無線通信部（トランスミッタ／レシーバ）１１０と、制御部（コントローラ）１２０と、ネットワークインターフェイス（トランスミッタ／レシーバ）１３０とを有する。
【００６３】
ＬＴＥ無線通信部１１０は、無線端末１０と無線通信を行う機能を有する。例えば、ＬＴＥ無線通信部１１０は、無線端末１０に対して参照信号を定期的に送信する。ＬＴＥ無線通信部１１０は、例えば、無線送受信機によって構成される。ＬＴＥ無線通信部１１０は、判定パラメータとして個別パラメータ及び報知パラメータを無線端末１０に送信する。上述したように、ＬＴＥ無線通信部１１０は、ＲＲＣメッセージ（例えば、ＲＲＣ  Ｃｏｎｎｅｃｔｉｏｎ  Ｒｅｃｏｎｆｉｇｕｒａｔｉｏｎ）によって個別パラメータを無線端末１０に通知し、ＳＩＢ（例えば、ＷＬＡＮ−ＯｆｆｌｏａｄＣｏｎｆｉｇ−ｒ１２）によって報知パラメータを無線端末１０に通知する。
【００６４】
制御部１２０は、ＣＰＵ（プロセッサ）及びメモリ等によって構成されており、無線基地局１００を制御する。具体的には、制御部１２０は、ＬＴＥ無線通信部１１０及びネットワークインターフェイス１３０を制御する。なお、制御部１２０を構成するメモリが記憶部として機能してもよいし、制御部１２０を構成するメモリとは別に記憶部を構成するメモリが設けられてもよい。
【００６５】
ネットワークインターフェイス１３０は、Ｘ２インターフェイスを介して近隣基地局と接続され、Ｓ１インターフェイスを介してＭＭＥ／Ｓ−ＧＷと接続される。ネットワークインターフェイス１３０は、Ｘ２インターフェイス上で行う通信及びＳ１インターフェイス上で行う通信に用いられる。また、ネットワークインターフェイス１３０は、所定のインターフェイスを介してアクセスポイント２００と接続されてもよい。ネットワークインターフェイス１３０は、アクセスポイント２００との通信に用いられる。
【００６６】
（アクセスポイント）
以下において、第１実施形態に係るアクセスポイントについて説明する。図４は、第１実施形態に係るアクセスポイント２００を示すブロック図である。
【００６７】
図４に示すように、アクセスポイント２００は、ＷＬＡＮ無線通信部（トランスミッタ／レシーバ）２１０と、制御部（コントローラ）２２０と、ネットワークインターフェイス（トランスミッタ／レシーバ）２３０とを有する。
【００６８】
ＷＬＡＮ無線通信部２１０は、無線端末１０と無線通信を行う機能を有し、無線端末１０のＷＬＡＮ無線通信部１２と同様の機能を有する。なお、ＷＬＡＮ無線通信部２１０は、無線端末１０からの接続要求を受信する。また、ＷＬＡＮ無線通信部２１０は、無線端末１０に接続要求に対する応答を送信する。
【００６９】
制御部２２０は、ＣＰＵ（プロセッサ）及びメモリ等によって構成されており、アクセスポイント２００を制御する。具体的には、制御部２２０は、ＷＬＡＮ無線通信部２１０及びネットワークインターフェイス２３０を制御する。なお、制御部２２０を構成するメモリが記憶部として機能してもよいし、制御部２２０を構成するメモリとは別に記憶部を構成するメモリが設けられてもよい。
【００７０】
ネットワークインターフェイス２３０は、所定のインターフェイスを介してバックホールと接続される。ネットワークインターフェイス２３０は、無線基地局１００との通信に用いられる。ネットワークインターフェイス２３０は、所定のインターフェイスを介して、無線基地局１００と直接的に接続されてもよい。
【００７１】
（切替処理の判定）
以下において、切替処理の判定について、移動通信網から無線ＬＡＮに対する切替処理を例に挙げて説明する。
【００７２】
第１に、第１情報が第１条件を満たしている状態が所定期間（ＴｓｔｅｅｒｉｎｇＷＬＡＮ）に亘って継続するか否かを判定する方法について説明する。第１情報は、参照信号の信号レベル（ＲＳＲＰ）の測定結果（ＲＳＲＰｍｅａｓ）又は参照信号の信号品質（ＲＳＲＱ）の測定結果（ＲＳＲＱｍｅａｓ）であり、参照信号は短い周期で定期的に受信され、ＲＳＲＰｍｅａｓ又はＲＳＲＱｍｅａｓが比較的に短い周期で測定される。すなわち、ＲＳＲＰｍｅａｓ又はＲＳＲＱｍｅａｓは、時間軸方向において連続的に取得される。
【００７３】
第２に、第２情報が第２条件を満たしている状態が所定期間（ＴｓｔｅｅｒｉｎｇＷＬＡＮ）に亘って継続するか否かを判定する方法について説明する。第２情報を取得する周期について取り決めがない。すなわち、第２情報（例えば、ＢａｃｋｈａｕｌＲａｔｅＤｌＷＬＡＮ又はＢａｃｋｈａｕｌＲａｔｅＵｌＷＬＡＮ）は、時間軸方向において離散的に取得される。
【００７４】
（第１実施形態に係る動作）
次に、第１実施形態に係る動作について、図５から図７を用いて説明する。図５及び図６は、動作環境の一例を説明するための図である。図７は、本実施形態に係る動作の一例を説明するための図である。
【００７５】
図５に示すように、無線基地局１００−１が管理するセルの第１カバレッジエリア１００Ａ−１と無線基地局１００−２が管理するセルの第１カバレッジエリア１００Ａ−２とは、重複する。さらに、第１カバレッジエリア１００Ａ−１と第１カバレッジエリア１００Ａ−２との重複部分に、アクセスポイント２００が有する第２カバレッジエリア２００Ａが存在する。第１カバレッジエリア１００Ａ−１及び１００Ａ−２の重複部分に、アクセスポイント２００が存在する。なお、第２カバレッジエリア２００Ａは、第１カバレッジエリア１００Ａ−１と第２カバレッジエリア１００Ａ−２との重複部分に一部重複した状態で存在してもよい。
【００７６】
無線端末１０−１は、第１カバレッジエリア１００Ａ−１に在圏する。「在圏」とは、無線基地局１００−１が管理するセルに対する待ち受け状態（ＲＲＣアイドル状態）であってもよく、無線基地局１００−１が管理するセルに接続された接続状態（ＲＲＣコネクティッド状態）であってもよい。無線端末１０は、移動通信網において待ち受け状態又は接続状態である。
【００７７】
本実施形態において、無線基地局１００−１及び無線基地局１００−２は、移動通信網から無線ＬＡＮへと待ち受け先又は接続先を切り替えるオフロード処理を行うか否かを判定するための判定パラメータを自基地局配下（すなわち、自セル内）の無線端末にＳＩＢ又は個別シグナリング（ｄｅｄｉｃａｔｅｄ  ｓｉｇｎａｌｉｎｇ）によって送信する。また、本実施形態において、無線基地局１００−１及び無線基地局１００−２は、無線ＬＡＮにおける待ち受け先又は接続先の候補となるアクセスポイント２００を示す識別子のリスト（以下、ＷＬＡＮＩＤリスト）をＳＩＢによって自セル内の無線端末に送信する。無線端末１０は、無線基地局１００−１から受信したＷＬＡＮＩＤリスト内の識別子によって示されるアクセスポイント２００からの無線信号及び判定パラメータに基づいてオフロード処理を行うか否かを自律的に判定する。
【００７８】
また、本実施形態において、無線基地局１００−２は、自局の負荷が高いため、所定値に比べて判定パラメータをオフロード処理が行われ易い値に設定していると仮定する。具体的には、無線基地局１００−２は、判定パラメータを所定値よりも小さい値（又は大きい値）に設定している。所定値は、例えば、予め設定された値（初期値など）であってもよいし、判定パラメータの平均値であってもよい。或いは、無線基地局１００−２は、オフロード処理が行われ易い値として登録されている登録値を判定パラメータの値に設定してもよい。或いは、無線基地局１００−２は、オペレータによって管理されるサーバ装置であり、Ｅ−ＵＴＲＡＮの保守及び監視を行うＯＡＭによって指定されたオフロード処理が行われ易い値を判定パラメータの値に設定してもよい。
【００７９】
無線基地局１００−２が、このような判定パラメータを設定している場合、無線基地局１００−２の状態は、自セル内の無線端末の数を減少させるための負荷分散制御を行っている状態である。例えば、無線基地局１００−２は、自局の負荷が閾値を超えている場合に、通常状態から負荷分散制御を行っている状態へ移行する。
【００８０】
ここで、図５に示すように、無線基地局１００−１が、無線端末１０をハンドオーバさせるために、無線基地局１００−２に対して、ハンドオーバ要求（ＨＡＮＤＯＶＥＲ  ＲＥＱＵＥＳＴ）を送信したと仮定する。上述の通り、無線基地局１００−２は、負荷分散制御を行っているが、依然として負荷が高い場合には、ハンドオーバ要求を拒否するハンドオーバ要求に対する応答（ＨＡＮＤＯＶＥＲ  ＲＥＱＵＥＳＴ  ＦＡＩＬＵＲＥ）を、無線基地局１００−１に送信する。特に、ハンドオーバ要求が、負荷分散を目的とする場合は、負荷が高い無線基地局１００−２は、ハンドオーバ要求を拒否するハンドオーバ要求に対する応答を送信する可能性が高い。
【００８１】
また、無線ＬＡＮへとオフロード処理を行った無線端末の数が通常よりも多いため、オンロード処理を行う可能性のある無線端末の数も多い。このため、無線基地局１００−２は、自局の負荷が低い場合であっても、急激な負荷の増加に対処できるように、ハンドオーバ要求を拒否する応答を、無線基地局１００−１に送信することもできる。
【００８２】
ハンドオーバ要求を拒否する応答を受信した無線基地局１００−１は、無線基地局１００−２の事情が分からないため、無線基地局１００−２に対して、ハンドオーバ要求が承諾されるまでハンドオーバ要求を繰り返し送信する可能性がある。その結果、無駄なハンドオーバ要求の送信が行われる虞がある。
【００８３】
一方で、図６に示すように、無線基地局１００−２が、ハンドオーバ要求を承諾したと仮定する。この場合、無線基地局１００−２は、オフロード処理が行われ易い値に判定パラメータを設定しているため、無線端末１０は、無線基地局１００−２の判定パラメータに基づいて、オフロード処理を直ちに行う可能性が高い。図６に示すように、第１カバレッジエリア１００Ａ−１と第１カバレッジエリア１００Ａ−２との重複部分にアクセスポイント２００が存在する場合、無線端末は、ハンドオーバを行わなくても、オフロード処理を行うことが可能であったため、結果として、無駄なハンドオーバ要求の送信が行われている可能性がある。
【００８４】
このような無駄なハンドオーバ要求の送信を解消するために、本実施形態では、無線基地局１００−２は、負荷分散制御を行っているか否かを示す状態情報を無線基地局１００−１に送信する。これにより、無線基地局１００−１は、無線基地局１００−２が負荷分散制御を行っていることが分かる。従って、無線基地局１００−１は、無線基地局１００−２が負荷分散制御を行っていることを考慮した上で、ハンドオーバ要求を送信するか否かを判断できる。その結果、無駄なハンドオーバ要求の送信を低減できる。
【００８５】
以下において、本実施形態に係る詳細な動作の一例について、説明する。
【００８６】
図７に示すように、無線基地局１００−２は、リソース状態更新メッセージ（ＲＥＳＯＵＲＣＥ  ＳＴＡＴＵＳ  ＵＰＤＡＴＥ）を無線基地局１００−１に送信する。リソース状態更新メッセージは、負荷分散制御を行っていることを示す状態情報を含む。状態情報は、判定パラメータをオフロード処理が行われ易い値に設定していることを示す情報（Ａｇｇｒｅｓｓｉｖｅ  ＷＬＡＮ  ｏｆｆｌｏａｄｉｎｇ  ｓｔａｔｕｓ）であってもよい。
【００８７】
状態情報は、負荷分散制御の度合いを示す情報を含んでもよい。例えば、負荷分散制御の度合いを示す情報は、負荷分散制御のレベルに応じて分けられたクラス（「Ｈｉｇｈ、Ｍｉｄｄｌｅ、Ｌｏｗ」、「整数値（０〜１００）」など）を示す情報であってもよい。負荷分散制御の度合いを示す情報は、オフロード処理が行われ易い値として実際に設定されている判定パラメータを示す値であってもよい。
【００８８】
状態情報は、判定パラメータの設定の種類を示す情報を含んでもよい。具体的には、無線基地局１００−２は、ＳＩＢによって判定パラメータ（報知パラメータ）を無線端末１０に通知している場合、ＳＩＢによって無線端末に対して判定パラメータを設定していることを示す情報（ＳＩＢ  ｓｅｔｔｉｎｇ）を含んでもよい。無線基地局１００−２は、個別シグナリングによって判定パラメータ（個別パラメータ）を無線端末１０に通知している場合、個別シグナリングによって無線端末に対して判定パラメータを設定していることを示す情報（ＲＲＣ  ｓｅｔｔｉｎｇ）を含んでもよい。これらの情報は、「０（設定）」、「１（非設定）」を示すフラグによって示されてもよい。状態情報は、「ＳＩＢ  ｓｅｔｔｉｎｇ」と「ＲＲＣ  ｓｅｔｔｉｎｇ」とのそれぞれにおける、負荷分散制御の度合いを示す情報を含んでもよい。
【００８９】
状態情報は、個別シグナリングによって判定パラメータが設定された無線端末の数を示す情報を含んでもよい。当該情報は、単位時間当たりの当該無線端末の数であってもよい。或いは、状態情報は、オフロード処理を行った無線端末の数を示す情報であってもよい。当該情報は、単位時間当たりの当該無線端末の数であってもよい。例えば、無線基地局１００−２は、オフロード処理の許可を行う場合に、許可した無線端末の数をオフロード処理を行った無線端末の数とみなすことができる。なお、無線基地局１００−２のセルに在圏する無線端末１０から接続要求に関するメッセージ(例えば、ａｓｓｏｃｉａｔｉｏｎ／ａｕｔｈｅｎｔｉｃａｔｉｏｎ  ｒｅｑｕｅｓｔ)をアクセスポイント２００が受信した際に、アクセスポイント２００から無線基地局１００−２に対して送信されるメッセージに基づいて、無線基地局１００−２は、オフロード処理の許可を行うか否かを判定する。また、状態情報は、ＷＬＡＮＩＤリスト内のアクセスポイント２００の識別子を示す情報を含んでもよい。当該情報は、ＷＬＡＮＩＤリストそのものであってもよい。
【００９０】
なお、リソース状態更新メッセージは、自局の負荷を示す情報を含むため、無線基地局１００−２は、自局の負荷情報と共に、状態情報を無線基地局１００−１に送信する。負荷情報は、具体的には、セル毎の負荷の測定結果（Ｃｅｌｌ  Ｍｅａｓｕｒｅｍｅｎｔ  Ｒｅｓｕｌｔ）であり、セル識別子と具体的な負荷情報とが対応付けられている。具体的な負荷情報は、Ｈａｒｄｗａｒｅ  Ｌｏａｄ、Ｓ１  ＴＮＬ  Ｌｏａｄ、Ｒａｄｉｏ  Ｒｅｓｏｕｒｃｅ  Ｓｔａｔｕｓ、Ｃｏｍｐｏｓｉｔｅ  Ａｖａｉｌａｂｌｅ  Ｃａｐａｃｉｔｙ  Ｇｒｏｕｐ、ＡＢＳ  Ｓｔａｔｕｓなどである。
【００９１】
リソース状態更新メッセージを受信した無線基地局１００−１は、リソース状態更新メッセージに含まれる状態情報に基づいて、無線基地局１００−２に対してハンドオーバ要求を送信するか否かを判定できる。例えば、無線基地局１００−１は、状態情報がリソース状態更新メッセージに含まれる場合、無線基地局１００−２にハンドオーバ要求を送信しないと判定してもよい。
【００９２】
或いは、無線基地局１００−１は、状態情報がリソース状態更新メッセージに含まれる場合で、且つ、ハンドオーバ要求が、負荷分散を目的とする場合、無線基地局１００−２にハンドオーバ要求を送信しないと判定してもよい。無線基地局１００−１は、状態情報がリソース状態更新メッセージに含まれていても、ハンドオーバ要求が無線端末１０の移動に関連したものである（ハンドオーバ要求がモビリティ制御を目的とする）場合には、無線端末１０の無線通信品質を維持するために、無線基地局１００−２にハンドオーバ要求を送信すると判定してもよい。
【００９３】
或いは、無線基地局１００−１は、状態情報だけでなく、負荷情報も考慮して判定してもよい。具体的には、無線基地局１００−１は、無線基地局１００−２の負荷情報と自局の負荷情報とを比較した上で、判定してもよい。
【００９４】
或いは、無線基地局１００−１は、状態情報に含まれる上述した各情報を考慮して、無線基地局１００−２に対してハンドオーバ要求を送信するか否かを判定できる。例えば、無線基地局１００−１は、負荷分散制御の度合いが小さい場合、無線基地局１００−２に対してハンドオーバ要求を送信すると判定してもよい。また、無線基地局１００−１は、個別シグナリングによって判定パラメータが設定された無線端末の数及び／又はオフロード処理を行った無線端末の数が少ない（無線端末の数が閾値よりも小さい）場合、無線基地局１００−２に対してハンドオーバ要求を送信すると判定してもよい。
【００９５】
或いは、無線基地局１００−１は、状態情報に含まれる判定パラメータの値及び／又はアクセスポイント２００の識別子に基づいて、ハンドオーバ要求を送信せずに、ハンドオーバの対象である無線端末１０の判定パラメータの設定を変更することによって、無線端末１０にオフロード処理を行わせてもよい。これにより、ハンドオーバ要求だけでなく、ハンドオーバ手順におけるシグナリングが送信されないため、シグナリングを低減できる。さらに、無線端末１０が、ハンドオーバを行った後、直ちにオフロード処理を行わないため、サービス品質（ＱｏＥ）の低下も抑制することができる。
【００９６】
［第２実施形態］
次に、第２実施形態に係る動作ついて、図５を用いて説明する。上述した第１実施形態と同様の部分は、適宜説明を省略する。
【００９７】
第１実施形態では、負荷分散制御を行っていることを示す情報（状態情報）は、リソース状態更新メッセージに含まれていた。第２実施形態では、負荷分散制御を行っていることを示す情報は、ハンドオーバ要求を拒否する否定応答に含まれる。
【００９８】
図５に示すように、無線基地局１００−１からハンドオーバ要求を受信した無線基地局１００−２が、ハンドオーバ要求を拒否するために、ハンドオーバ要求に対する応答である否定応答を送信すると仮定する。この場合、無線基地局１００−２は、負荷分散制御を行っていることを示す拒否理由を含む否定応答を送信する。否定応答は、第１実施形態におけるリソース状態更新メッセージに含まれる各種情報の少なくともいずれかを含んでいてもよい。
【００９９】
これにより、第１実施形態と同様に、無線基地局１００−１は、拒否理由（及び各種情報）を考慮した上で、無線基地局１００−２にハンドオーバ要求を再度送信するか否かを判定することができる。拒否理由によって無線基地局１００−２の事情が分かった無線基地局１００−１は、例えば、無線基地局１００−２にハンドオーバ要求を再送するのではなく、他の無線基地局１００にハンドオーバ要求を送信すると判定できる。或いは、無線基地局１００−１は、無線端末１０がアクセスポイント２００に接続要求に関するメッセージを送信させるために、オフロード処理が行われ易い値の判定パラメータ（個別パラメータ）をＲＲＣメッセージによって無線端末１０に通知してもよい。
【０１００】
［第２実施形態の変更例］
次に、第２実施形態の変更例に係る動作ついて、図８を用いて説明する。図８は、第２実施形態の変更例に係る動作の一例を説明するための図である。上述した第１及び第２実施形態と同様の部分は、適宜説明を省略する。
【０１０１】
第２実施形態は、Ｘ２ハンドオーバのケースである。第２実施形態の変更例は、Ｓ１ハンドオーバのケースである。
【０１０２】
図８に示すように、ステップＳ１００において、ソース基地局である無線基地局（Ｓｏｕｒｃｅ  ｅＮＢ）１００−１は、無線基地局１００−１の上位局であるＭＭＥ（Ｓｏｕｒｃｅ  ＭＭＥ）３００−１にハンドオーバ要求を送信する。ハンドオーバ要求は、ハンドオーバ要求の理由（ｃａｕｓｅ  ＩＥ）として、サービングセルの負荷低減（Ｒｅｄｕｃｅ  ｌｏａｄ  ｉｎ  ｓｅｒｖｉｎｇ  ｃｅｌｌ）又はハンドオーバによるリソースの最適化（ｒｅｓｏｕｒｃｅ  ｏｐｔｉｍｉｚａｔｉｏｎ  ｈａｎｄｏｖｅｒ）を示す情報を含む。
【０１０３】
ステップＳ１１０において、ハンドオーバ要求を受信したＭＭＥ３００−１は、転送リロケーション要求（ＦＯＲＷＡＲＤ  ＲＥＬＯＣＡＴＩＯＮ  ＲＥＱＵＥＳＴ）をターゲット基地局である無線基地局（Ｔａｒｇｅｔ  ｅＮＢ）１００−２の上位局であるＭＭＥ（Ｔａｒｇｅｔ  ＭＭＥ）３００−２に送信する。転送リロケーション要求は、ハンドオーバ要求の理由を含む。
【０１０４】
ステップＳ１２０において、転送リロケーション要求を受信したＭＭＥ３００−２は、ハンドオーバ要求を、無線基地局１００−２に送信する。ハンドオーバ要求は、転送リロケーション要求に含まれる理由を含む。
【０１０５】
無線基地局１００−２は、第１実施形態と同様に、負荷分散制御（Ａｇｇｒｅｓｓｉｖｅ  ＷＬＡＮ  ｏｆｆｌｏａｄｉｎｇ）を行っていると仮定する。
【０１０６】
ハンドオーバ要求を受信した無線基地局１００−２は、ハンドオーバ要求を承諾するか拒否するかを判定する。例えば、無線基地局１００−２は、ハンドオーバ要求が負荷分散を目的とする場合、ハンドオーバ要求を拒否すると判定してもよい。なお、サービングセルの負荷低減及びハンドオーバによるリソースの最適化を理由とするハンドオーバ要求は、負荷分散が目的である。
【０１０７】
無線基地局１００−２は、ハンドオーバ要求を拒否すると判定したと仮定して説明を進める。
【０１０８】
ステップＳ１３０において、ハンドオーバ要求を受信した無線基地局１００−２は、ハンドオーバ要求を拒否する否定応答（ＨＡＮＤＯＶＥＲ  ＦＡＩＬＵＲＥ）をＭＭＥ３００−２に送信する。否定応答は、負荷分散制御（Ａｇｇｒｅｓｓｉｖｅ  ＷＬＡＮ  ｏｆｆｌｏａｄｉｎｇ）を行っていることを示す拒否理由を含む。無線基地局１００−２は、ハンドオーバ要求が負荷分散を目的とする場合に、否定応答に、負荷分散制御を行っていることを示す拒否理由を含めてもよい。
【０１０９】
ステップＳ１４０において、否定応答を受信したＭＭＥ３００−２は、転送リロケーション要求に対する応答（ＦＯＲＷＡＲＤ  ＲＥＬＯＣＡＴＩＯＮ  ＲＥＳＰＯＮＳＥ）をＭＭＥ３００−１に送信する。当該応答は、負荷分散制御（Ａｇｇｒｅｓｓｉｖｅ  ＷＬＡＮ  ｏｆｆｌｏａｄｉｎｇ）を行っていることを示す拒否理由を含む。
【０１１０】
ステップＳ１５０において、転送リロケーション要求に対する応答を受信したＭＭＥ３００−１は、ハンドオーバ要求に対する応答（ＨＡＮＤＯＶＥＲ  ＰＲＥＰＡＲＡＴＩＯＮ  ＦＡＩＬＵＲＥ）を無線基地局１００−１に送信する。当該応答は、負荷分散制御（Ａｇｇｒｅｓｓｉｖｅ  ＷＬＡＮ  ｏｆｆｌｏａｄｉｎｇ）を行っていることを示す拒否理由を含む。
【０１１１】
これにより、無線基地局１００−１は、無線基地局１００−２が負荷分散制御（Ａｇｇｒｅｓｓｉｖｅ  ＷＬＡＮ  ｏｆｆｌｏａｄｉｎｇ）を行っていることを知ることができる。このため、Ｘ２ハンドオーバだけでなく、Ｓ１ハンドオーバにおけるシグナリングも低減できる。
【０１１２】
［その他の実施形態］
本出願の内容を上述した各実施形態によって説明したが、この開示の一部をなす論述及び図面は、この出願の内容を限定するものであると理解すべきではない。この開示から当業者には様々な代替実施形態、実施例及び運用技術が明らかとなろう。
【０１１３】
上述した各実施形態では、無線基地局１００−２が、負荷分散制御として、判定パラメータをオフロード処理が行われ易い値に設定しているケース（Ａｇｇｒｅｓｓｉｖｅ  ＷＬＡＮ  ｏｆｆｌｏａｄｉｎｇ  ｃａｓｅ）を説明したが、これに限られない。無線基地局１００−２が、自セル内の所定の無線端末１０をハンドオーバさせる制御を行っているケース（Ａｇｇｒｅｓｓｉｖｅ  ＨＯ  ｃａｓｅ）において、無線基地局１００−２は、無線基地局１００−１に、自セル内の所定の無線端末１０をハンドオーバさせる制御を行っていることを示す情報（Ａｇｇｒｅｓｓｉｖｅ  ＨＯ）を送信してもよい。また、無線基地局１００−２が、両方の制御を行っている場合に、負荷分散制御を行っていることを示す情報（Ａｇｇｒｅｓｓｉｖｅ  ＷＬＡＮ  ｏｆｆｌｏａｄｉｎｇ  ＆  Ａｇｇｒｅｓｓｉｖｅ  ＨＯ）を無線基地局１００−１に送信してもよい。
【０１１４】
例えば、負荷分散制御を行っている無線基地局１００−２は、近隣基地局１００からの受信信号強度が所定の閾値よりも高いという測定報告を送信した無線端末（所定の無線端末）１０をハンドオーバさせる制御を行う。この場合、無線基地局１００−２は、所定の無線端末１０にハンドオーバさせると決定し、通常のハンドオーバ手順を実行する。
【０１１５】
なお、所定の閾値は、無線端末１０にハンドオーバさせ易くする値であり、無線端末１０をハンドオーバさせる判定に用いる負荷分散制御を行っていない場合の（通常の）閾値よりも低い値である。所定の閾値は、負荷分散制御用の閾値であってもよい。なお、無線端末１０の通信品質を高いレベルで維持する制御を行っている無線基地局１００−２において、所定の閾値（負荷分散制御用の閾値）は、通信品質を高いレベルで維持するための閾値より低い値であるが、通信品質を最低限維持可能な閾値よりも大きい値でなければならない。
【０１１６】
上述した各実施形態において、無線基地局１００−２は、自局の負荷が高い場合に限らない。例えば、無線基地局１００−２は、負荷分散制御を行うことによって他のノード（近隣基地局１００及び／又はアクセスポイント２００）との負荷の均衡が保たれている場合に、負荷分散制御を行っていることを示す情報を無線基地局１００−１に送信してもよい。
【０１１７】
実施形態では特に触れていないが、無線端末１０、無線基地局１００及びアクセスポイント２００のいずれかが行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０１１８】
或いは、無線端末１０、無線基地局１００及びアクセスポイント２００のいずれかが行う各処理を実行するためのプログラムを記憶するメモリ及びメモリに記憶されたプログラムを実行するプロセッサ）によって構成されるチップが提供されてもよい。
【０１１９】
各実施形態では、移動通信網としてＬＴＥを例示した。しかしながら、実施形態はこれに限定されるものではない。移動通信網は、通信キャリアによって提供されるネットワークであればよい。従って、移動通信網は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）であってもよく、ＧＳＭ（登録商標）であってもよい。
【０１２０】
なお、日本国特許出願第２０１４−２２７４３８号（２０１４年１１月７日出願）の全内容が、参照により、本願明細書に組み込まれている。 
【図１】
2016072465.tif 000003
【図２】
2016072465.tif 000004
【図３】
2016072465.tif 000005
【図４】
2016072465.tif 000006
【図５】
2016072465.tif 000007
【図６】
2016072465.tif 000008
【図７】
2016072465.tif 000009
【図８】
2016072465.tif 000010
【国際調査報告】
2016072465.tif 000011
2016072465.tif 000012
2016072465.tif 000013
2016072465.tif 000014